(57)【要約】【課題】シンプルな構造で、電池蓋のロック及び電池の保持を行う。【解決手段】ロックレバー４１は、ロック位置にあるときに、電池蓋３３を閉じ位置でロックするとともに、電池スロット２２ａの一部を閉鎖して電池２１を排出不能に保持する。ロックレバー４１を、ロック位置からロック解除位置に向けて移動すると、電池蓋３３のロックが解除される。ロックが解除されたときにも、閉鎖部４１ａは電池スロット２２ａの一部を閉鎖しており、電池２１を保持した状態が保たれる。ロックレバー４１が、電池２１を保持した状態を保ったまま、受け止め位置まで移動すると、ロックレバー４１のロック解除位置に向けた移動が規制される。ロックが解除された電池蓋３３は、ねじりバネ３４により開放位置まで回転する。電池蓋３３が開放位置まで回転する間も、電池２１はロックレバー４１により排出不能に保持される。【選択図】図８
2011076775.tif 000002
【特許請求の範囲】
【請求項１】
スロットを通して挿入された電池が装填される電池装填室と、
前記スロットを露出させる開放位置と前記スロットを覆う閉じ位置との間で開閉自在な電池蓋と、
前記スロットと前記電池蓋との間に設けられ、前記スロットの少なくとも一部を閉鎖して前記電池装填室に装填された電池を排出不能に保持するとともに前記電池蓋を前記閉じ位置でロックするロック位置と、前記スロットを開いて前記電池の保持を解除するとともに前記電池蓋のロックを解除するロック解除位置との間で変位自在で、前記ロック位置から前記ロック解除位置に変位する間に、前記電池を保持した状態で前記電池蓋のロックを解除する電池保持区間を変位するロック板と、
前記ロック板を前記ロック位置に向けて付勢する第１のバネと、
前記電池蓋に設けられ、前記ロック板が前記ロック位置から前記電池保持区間に変位されたときに前記ロック板を受け止めて、前記電池保持区間に位置する状態を保つように前記ロック板の前記ロック解除位置に向けた変位を規制する変位規制部と、
を備えることを特徴とする電池保持構造。
【請求項２】
前記電池蓋は、前記ロック板に係合する係合部を備え、
前記ロック板は、前記スロットを閉鎖する閉鎖部と、前記係合部に係合して前記電池蓋を前記閉じ位置でロックするロック部とを備えることを特徴とする請求項１記載の電池保持構造。
【請求項３】
前記電池蓋には、前記ロック部が挿通される開口が設けられ、
前記変位規制部は、前記ロック部を受け止める前記開口の壁面であることを特徴とする請求項２記載の電池保持構造。
【請求項４】
前記電池蓋を開放する方向に付勢する第２のバネを備えることを特徴とする請求項１ないし３いずれか１つ記載の電池保持構造。
【請求項５】
前記ロック板には、前記電池蓋が前記開放位置から前記閉じ位置に向けて閉じられたときに前記電池蓋に当接し、前記ロック板を前記ロック解除位置に向けて変位させるように前記ロック板の変位方向に対して傾斜した傾斜面が設けられていることを特徴とする請求項１ないし４いずれか１つ記載の電池保持構造。
【請求項６】
前記電池装填室内に前記電池に接する接片が設けられ、
前記接片は、前記電池を排出方向に付勢することを特徴とする請求項１ないし５いずれか１つ記載の電池保持構造。
【請求項７】
前記電池装填部の近傍に、記録媒体スロットを通して挿入された記録媒体が装填される記録媒体装填室が設けられ、
前記電池蓋は、前記閉じ位置に位置するときに、前記記録媒体スロットを覆うことを特徴とする請求項１ないし６いずれか１つ記載の電池保持構造。
【請求項８】
請求項１〜７いずれか１つ記載の電池保持構造を有することを特徴とする電子機器。
【発明の詳細な説明】
【技術分野】
【０００１】
本発明は、電池保持構造及びこれを備えた電子機器に関するものである。
【背景技術】
【０００２】
持ち運んで使用するデジタルカメラ等の電子機器は、電源として電池が用いられる。デジタルカメラには、電池が挿入される電池スロットを有し、電池が装填される電池装填室が設けられ、この電池スロットは、埃の侵入を防ぐために、電池蓋により覆われる。電池蓋は、電池スロットを露出させる開放位置と、電池スロットを覆う閉じ位置との間で開閉自在に設けられている。電池を装填または取り出すときには、電池蓋を開放位置に開放して行う。
【０００３】
電池装填室内での電池のガタつきがあると、電池装填室内の接片と電池との接触不良が発生するため、特許文献１の電池収納装置では、電池蓋を閉じ位置でロックするロック板と、電池蓋を閉じたときに電池の動きを規制する突起とを電池蓋に設け、電池蓋を閉じているときには、電池装填室内での電池のガタつきを防止している。
【０００４】
また、特許文献２のデジタルカメラでは、電池蓋を閉じ位置でロックするロック板と、電池を電池装填室から排出されないようにロックするロック部材とを設け、電池蓋の開閉状態に関係なく、電池装填室内での電池のガタつきを防止している。
【先行技術文献】
【特許文献】
【０００５】
【特許文献１】特開平０１−２８６２５０号公報
【特許文献２】特開２００３−３１７６８１号公報
【発明の概要】
【発明が解決しようとする課題】
【０００６】
特許文献１の電池収納装置では、電池蓋を開放すると突起による電池の動き規制が解除されるため、電池蓋の開放時に、電池が飛び出して落下してしまうことがあった。
【０００７】
また、特許文献２のデジタルカメラでは、電池蓋をロックするロック板と、電池をロックするロック部材とを個別に設ける必要があり、部品点数が増加し、さらには構造が複雑化してしまう。さらに、電池交換時などには、ロック板とロック部材との２つを操作する必要があるため、作業が面倒である。
【０００８】
本発明は、上記課題を解決するためになされたものであり、シンプルな構造で、電池蓋のロック及び電池の保持を行うことができるようにした電池保持構造及びこれを備えた電子機器を提供することを目的とする。
【課題を解決するための手段】
【０００９】
上記目的を達成するために、本発明の電池保持構造は、スロットを通して挿入された電池が装填される電池装填室と、前記スロットを露出させる開放位置と前記スロットを覆う閉じ位置との間で開閉自在な電池蓋と、前記スロットと前記電池蓋との間に設けられ、前記スロットの少なくとも一部を閉鎖して前記電池装填室に装填された電池を排出不能に保持するとともに前記電池蓋を前記閉じ位置でロックするロック位置と、前記スロットを開いて前記電池の保持を解除するとともに前記電池蓋のロックを解除するロック解除位置との間で変位自在で、前記ロック位置から前記ロック解除位置に変位する間に、前記電池を保持した状態で前記電池蓋のロックを解除する電池保持区間を変位するロック板と、前記ロック板を前記ロック位置に向けて付勢する第１のバネと、前記電池蓋に設けられ、前記ロック板が前記ロック位置から前記電池保持区間に変位されたときに前記ロック板を受け止めて、前記電池保持区間に位置する状態を保つように前記ロック板の前記ロック解除位置に向けた変位を規制する変位規制部と、を備えることを特徴とする。なお、前記ロック板の変位としては、移動、回転等が挙げられる。
【００１０】
また、前記電池蓋は、前記ロック板に係合する係合部を備え、前記ロック板は、前記スロットを閉鎖する閉鎖部と、前記係合部に係合して前記電池蓋を前記閉じ位置でロックするロック部とを備えることが好ましい。
【００１１】
さらに、前記電池蓋には、前記ロック部が挿通される開口が設けられ、前記変位規制部は、前記ロック部を受け止める前記開口の壁面であることが好ましい。
【００１２】
また、前記電池蓋を開放する方向に付勢する第２のバネを備えることが好ましい。
【００１３】
さらに、前記ロック板には、前記電池蓋が前記開放位置から前記閉じ位置に向けて閉じられたときに前記電池蓋に当接し、前記ロック板を前記ロック解除位置に向けて変位させるように前記ロック板の変位方向に対して傾斜した傾斜面が設けられていることが好ましい。
【００１４】
また、前記電池装填室内に前記電池に接する接片が設けられ、前記接片は、前記電池を排出方向に付勢することが好ましい。
【００１５】
さらに、前記電池装填部の近傍に、記録媒体スロットを通して挿入された記録媒体が装填される記録媒体装填室が設けられ、前記電池蓋は、前記閉じ位置に位置するときに、前記記録媒体スロットを覆うことが好ましい。なお、前記記録媒体としては、メモリカード、ＣＤ、ＤＶＤ等が挙げられる。
【００１６】
また、本発明の電子機器は、上記電池保持構造を有することを特徴とする。
【発明の効果】
【００１７】
本発明によれば、ロック板により、電池蓋のロックと電池の保持との両方を行うことができるから、それぞれに１個ずつ部品を設けるものに比べて、部品点数の増加を抑制することができ、構造をシンプルにすることができる。
【００１８】
また、ロック板が、電池を排出不能に保持するとともに電池蓋を閉じ位置でロックするロック位置から、電池を保持した状態で電池蓋のロックを解除する電池保持区間に変位したときにロック板を受け止めて、ロック板のロック解除位置に向けた変位を規制するから、電池蓋のロックを解除したときに電池の保持が解除されることがない。これにより、電池蓋の開放時に電池が排出されるのを防止することができる。
【図面の簡単な説明】
【００１９】
【図１】デジタルカメラの斜視図である。
【図２】デジタルカメラの背面図である。
【図３】カメラ本体と電池蓋とロックレバーとを示す分解斜視図である。
【図４】電池蓋を開放した状態のカメラ本体と電池蓋とロックレバーとを示す斜視図である。
【図５】電池蓋を閉じた状態のカメラ本体と電池蓋とロックレバーとを示す斜視図である。
【図６】電池蓋を閉じた状態のカメラ本体と電池蓋とロックレバーとを示す断面図である。
【図７】電池蓋を開放するとともに電池の保持を解除した状態のカメラ本体と電池蓋とロックレバーとを示す断面図である。
【図８】電池蓋のロックを解除した状態のカメラ本体と電池蓋とロックレバーとを示す断面図である。
【図９】電池蓋を閉じ位置に向けて回転した状態のカメラ本体と電池蓋とロックレバーとを示す断面図である。
【図１０】メモリカードをイジェクトさせた状態のカメラ本体と電池蓋とロックレバーとを示す斜視図である。
【図１１】電池蓋を長手方向を中心に回転自在に設けた実施形態のカメラ本体と電池蓋とロックレバーとを示す断面図である。
【図１２】ロックレバーに摘み部を設けた実施形態のカメラ本体と電池蓋とロックレバーとを示す斜視図である。
【図１３】図１２に示す実施形態の電池蓋を閉じた状態のカメラ本体と電池蓋とロックレバーとを示す斜視図である。
【図１４】電池蓋にロックレバーのロック部を収納する凹部を設けた実施形態のカメラ本体と電池蓋とロックレバーとを示す断面図である。
【発明を実施するための形態】
【００２０】
［第１実施形態］
図１に示すように、デジタルカメラ２は、カメラ本体３の前面に、複数の撮影レンズ４が組み込まれたレンズ鏡筒５が設けられている。カメラ本体３の上面には、電源ボタン６、レリーズボタン７等が設けられている。レンズ鏡筒５は、デジタルカメラ２が電源オフ状態にある際に、カメラ本体３の内部に収納され、電源がオンされたときにカメラ本体３の前面から突出する。
【００２１】
図２に示すように、カメラ本体３の背面には、撮影画像や各種設定条件が表示されるＬＣＤ１０、各種設定及び表示画像の切り換えを行うためのメニューキー１１、ＬＣＤ１０に表示する画像を拡大及び縮小ズームさせるズームボタン１２が設けられている。
【００２２】
図３〜図７に示すように、カメラ本体３の底面には、電池２１が装填される電池装填室２２と、メモリカード２３が装填されるカード装填室２４とが設けられている。電池装填室２２には、電池２１が挿入される電池スロット２２ａが形成され、カード装填室２４には、メモリカード２３が挿入されるカードスロット２４ａが形成されている。電池装填室２２の内部には、電池２１の装填方向の先端に接するバネ接片２６が設けられている。電池２１は、バネ接片２６により排出方向に付勢されている。
【００２３】
カード装填室２４に装填されたメモリカード２３は、カード装填室２４内に設けられた保持部（図示せず）によって保持され、カメラ本体３の内部に設けられたカードリーダ／ライタ（図示せず）に接続される。レリーズボタン７を押圧して撮影を行うと、その撮影した画像データは、カードリーダ／ライタによってメモリカード２３に記録される。
【００２４】
電池スロット２２ａ及びカードスロット２４ａの周囲には、凹部３１が形成されている。この凹部３１内に配置した軸３２に、電池蓋３３の一端が回転可能に取り付けられている。この電池蓋３３は、図５及び図６に示す閉じ位置にセットされると、凹部３１内に入り込んで、電池スロット２２ａ及びカードスロット２４ａを覆う。電池蓋３３が図３及び図４に示す開放位置に回転されると、電池スロット２２ａ及びカードスロット２４ａが露出して、電池２１及びメモリカード２３の装填や取り出しが可能となる。電池蓋３３は、ねじりバネ３４により、開放位置に向けて付勢されている。
【００２５】
凹部３１内には、カードイジェクトボタン３５が設けられている。このカードイジェクトボタン３５を押圧すると、これに連動してイジェクトレバー（図示せず）が作動して、メモリカード２３は、その後端が押されて、手で引出しが可能となる取り出し位置まで排出される。カードイジェクトボタン３５は、電池蓋３３が閉じ位置にセットされているときには、電池蓋３３により覆われる。
【００２６】
凹部３１内には、電池蓋３３を閉じ位置でロックするロックレバー４１が設けられている。このロックレバー４１は、電池２１を排出不能に保持するとともに電池蓋３３を閉じ位置でロックするロック位置（図４及び図６参照）と、電池２１の保持を解除するとともに電池蓋３３のロックを解除するロック解除位置（図７参照）との間で移動自在に設けられている。
【００２７】
ロックレバー４１は、板状の閉鎖部４１ａと、この閉鎖部４１ａから突出したロック部４１ｂとを備える。このロック部４１ｂには、ロックレバー４１の移動方向に対して傾斜した傾斜面４１ｃが形成されている。閉鎖部４１ａは、ロック位置に位置するときには、電池スロット２２ａの一部を閉鎖して電池２１を排出不能に保持し、ロック解除位置に位置するときには、電池スロット２２ａを開く。
【００２８】
凹部３１には、ロックレバー４１を移動自在に支持するレバー支持部４２が設けられている。レバー支持部４２は、閉鎖部４１ａが挿入され、閉鎖部４１ａを移動自在に支持する本体部４２ａを備え、この本体部４２ａには、ロック部４１ｂが挿通される切欠き４２ｂが形成されている。本体部４２ａ内には、コイルバネ４５が配され、このコイルバネ４５の一端は、本体部４２ａ内に形成されたバネ凸部４２ｃに挿入されている。コイルバネ４５の他端は、ロックレバー４１に形成されたバネ凸部４１ｄに挿入されている。ロックレバー４１は、コイルバネ４５により、ロック位置に向けて付勢されている。また、凹部３１には、ロックレバー４１をロック位置で受け止める受止凸部４６が設けられている。
【００２９】
電池蓋３３には、閉じ位置に回転したときにロックレバー４１のロック部４１ｂを挿通する開口３３ａが設けられている。また、電池蓋３３には、閉じ位置に回転したときにロック部４１ｂに係合する係合凸部３３ｂが設けられている。この係合凸部３３ｂは、電池蓋３３が開放位置から閉じ位置に向けて回転したときに、ロック部４１ｂの傾斜面４１ｃに当接する。
【００３０】
図６に示すように、電池蓋３３が閉じ位置に位置し、ロックレバー４１がロック位置に位置するときには、ロック部４１ｂは係合凸部３３ｂに係合し、電池蓋３３を閉じ位置でロックする。また、図７に示すように、ロックレバー４１がロック解除位置に位置するときには、ロック部４１ｂと係合凸部３３ｂとの係合が解除され、電池蓋３３のロックが解除される。
【００３１】
図８（Ａ）に示すように、ロックレバー４１が、ロック位置から、ロック部４１ｂと係合凸部３３ｂとの係合が解除される解除開始位置まで移動されると、電池蓋３３のロックが解除される。図８（Ｂ）に示すように、ロックレバー４１が、電池蓋３３のロックを解除した状態でロック部４１ｂが電池蓋３３の開口３３ａの下壁面で受け止められる受け止め位置まで移動すると、ロックレバー４１のロック解除位置に向けた移動が規制される。ロックレバー４１が、解除開始位置から受け止め位置まで移動する間も、閉鎖部４１ａによって電池スロット２２ａの一部を閉鎖しているから、電池２１を保持した状態が保たれる。本実施形態では、解除開始位置から受け止め位置までのロックレバー４１の移動区間が、電池２１を保持した状態で電池蓋３３のロックを解除する電池保持区間となる。
【００３２】
次に、上記第１実施形態の作用について説明する。デジタルカメラ２で撮影を行うときには、電源ボタン６を押圧して電源をオンする。レリーズボタン７を押圧して撮影を行うと、その撮影した画像データは、カードリーダ／ライタによってメモリカード２３に記録される。電池２１の残量が少なくなったときや、メモリカード２３の空き容量が少なくなったときは、電池２１やメモリカード２３を交換する。
【００３３】
電池２１及びメモリカード２３を交換するときには、先ず、ロックレバー４１を、図６に示すロック位置からロック解除位置に向けて移動する。図８（Ａ）に示すように、ロックレバー４１を解除開始位置まで移動すると、電池蓋３３のロックが解除される。この電池蓋３３のロックを解除したときにも、閉鎖部４１ａによって電池スロット２２ａの一部を閉鎖しているから、電池２１を保持した状態が保たれる。
【００３４】
ロックレバー４１が、電池２１を保持した状態を保ったまま、図８（Ｂ）に示す受け止め位置まで移動すると、ロック部４１ｂが電池蓋３３の開口３３ａの下壁面で受け止められ、ロックレバー４１のロック解除位置に向けた移動が規制される。これにより、電池蓋３３が閉じているときには、ロックレバー４１の操作時に電池２１の保持が解除されることがないから、電池２１が電池スロット２２ａから排出されることがない。
【００３５】
ロックが解除されると、電池蓋３３は、ねじりバネ３４によって開放位置に向けて回転し始め、手に当たって止まる。この状態でロックレバー４１から手を離すと、図４に示すように、電池蓋３３は、ねじりバネ３４により開放位置まで回転し、ロックレバー４１は、コイルバネ４５によりロック位置まで移動する。電池蓋３３が開放位置に回転する間も、電池２１はロックレバー４１により排出不能に保持されているから、電池蓋３３の開放時に電池２１が電池スロット２２ａから排出されることがない。
【００３６】
電池蓋３３が開放位置に回転した後、図７に示すようにロックレバー４１をロック解除位置まで移動すると電池スロット２２ａが開かれ、電池２１はバネ接片２６により付勢されて、電池スロット２２ａから排出される。この排出された電池２１を取り出した後、ロックレバー４１をロック解除位置に移動したまま、新たな電池２１を電池スロット２２ａに挿入して電池装填室２２に装填する。新たな電池２１を装填した後、ロックレバー４１から手を離すと、ロックレバー４１がコイルバネ４５によりロック位置まで移動し、電池２１は排出不能に保持される。
【００３７】
次に、カードイジェクトボタン３５を押圧すると、これに連動してイジェクトレバーが作動して、メモリカード２３は、図１０に示すように、取り出し位置まで排出される。この排出されたメモリカード２３を取り出した後、新たなメモリカード２３をカードスロット２４ａに挿入してカード装填室２４に装填する。カード装填室２４に装填されたメモリカード２３は、カード装填室２４内に設けられた保持部によって保持され、カードリーダ／ライタに接続される。なお、メモリカード２３を交換した後に、電池２１を交換してもよい。
【００３８】
電池２１及びメモリカード２３を交換した後、電池蓋３３を閉じ位置に向けて回転すると、図９（Ａ）に示すように、電池蓋３３の係合凸部３３ｂが、ロックレバー４１の傾斜面４１ｃに当接する。この状態で、更に電池蓋３３を回転すると、図９（Ｂ）に示すように、ロックレバー４１は、係合凸部３３ｂに押されてコイルバネ４５の付勢に抗して解除開始位置まで移動する。電池蓋３３の閉じ位置への回転に連動してロックレバー４１がロック位置から解除開始位置まで移動するときにも、閉鎖部４１ａによって電池スロット２２ａの一部は閉鎖されているから、電池蓋３３を閉じるときに、電池２１が電池スロット２２ａから排出されることがない。
【００３９】
電池蓋３３を閉じ位置まで回転すると、係合凸部３３ｂがロック部４１ｂを乗り越え、図６に示すように、ロックレバー４１がコイルバネ４５によりロック位置まで移動して、ロック部４１ｂが係合凸部３３ｂに係合し、電池蓋３３は閉じ位置でロックされる。このときにも、電池２１は、ロックレバー４１によって保持された状態が保たれる。電池蓋３３が閉じ位置に回転すると、電池スロット２２ａ及びカードスロット２４ａが電池蓋３３により覆われる。
【００４０】
なお、図１１に示すように、電池蓋３３に代えて、長手方向を中心に回転する電池蓋５１を用いてもよい。この電池蓋５１には、電池蓋３３と同様に、開口５１ａと係合凸部５１ｂとが設けられている。
【００４１】
［第２実施形態］
図１２及び図１３に示す第２実施形態は、カメラ本体３の側面からロックレバー６１を操作可能にしたものである。なお、第１実施形態のものと同様の構成部材には同一の符号を付し、その詳細な説明を省略する。
【００４２】
ロックレバー６１は、閉鎖部６１ａと、ロック部６１ｂと、ロック部６１ｂに形成された傾斜面６１ｃと、閉鎖部６１ａから側方に突出した摘み部６１ｄとを備える。
【００４３】
レバー支持部６２は、本体部６２ａを備え、この本体部６２ａには、切欠き６２ｂと、バネ凸部６２ｃと、摘み部６１ｄを挿通する切欠き６２ｄとが形成されている。カメラ本体３の側面には、摘み部６１ｄを操作可能に露呈する開口３ａが形成されている。摘み部６１ｄは、開口３ａ内に収納され、カメラ本体３の側面から突出しない。
【００４４】
次に、上記第２実施形態の作用について説明する。電池蓋３３を開放するときには、ロックレバー６１の摘み部６１ｄを操作して、ロックレバー６１をロック位置から受け止め位置に移動する。
【００４５】
ロックレバー６１を受け止め位置に移動すると、ロックレバー６１による電池蓋３３のロックが解除され、図１２に示すように、電池蓋３３は、ねじりバネ３４により開放位置まで回転する。ロックレバー６１から手を離すと、ロックレバー６１は、コイルバネ４５によりロック位置まで移動する。
【００４６】
ロックレバー６１の摘み部６１ｄは、カメラ本体３の側面から操作可能であるため、ロックレバー６１の操作により電池蓋３３のロックを解除したときに、ねじりバネ３４により開放位置に向けて回転する電池蓋３３が手に触れることがない。また、ロックレバー６１をロック解除位置に移動したときにも、バネ接片２６により排出される電池２１が手に触れることがない。
【００４７】
また、摘み部６１ｄは、カメラ本体３の開口３ａ内に収納され、カメラ本体３の側面から突出しないから、デジタルカメラ２を鞄やポケットに収納しているときに、誤ってロックレバー６１が操作されて電池蓋３３が開放されることがない。
【００４８】
なお、ロックレバー６１を用いる場合には、図１４に示すように、電池蓋３３に代えて、ロックレバー６１のロック部６１ｂを収納する凹部７１ａと、ロック部６１ｂに係合する係合部７１ｂとを有する電池蓋７１を用いることができる。この場合、電池蓋７１にはロック部６１ｂを挿通する開口が形成されないため、埃の侵入が抑制される。
【００４９】
また、上記実施形態では、本発明をデジタルカメラに適用しているが、電池を装填する電子機器であれば本発明は適用可能である。
【００５０】
さらに、上記実施形態では、カメラ本体の底面に電池蓋を設けているが、カメラ本体の後面や側面等に設けてもよい。
【００５１】
また、上記実施形態では、電池を装填する電池スロットに加えて、メモリカードを装填するカードスロットを設けているが、電池スロットが設けてあればよい。
【００５２】
さらに、上記実施形態では、開閉蓋の開口の下壁面で、ロックレバーのロック部を受けることによって、ロックレバーのロック解除位置に向けた移動を規制しているが、開閉蓋に設けた突起でロックレバーの閉鎖部またはロック部を受けることによって、ロックレバーのロック解除位置に向けた移動を規制してもよい。
【符号の説明】
【００５３】
２  デジタルカメラ
２１  電池
２２  電池装填室
２２ａ  電池スロット
２３  メモリカード
２４  カード装填室
２４ａ  カードスロット
２６  バネ接片
３３，５１，７１  電池蓋
３３ａ，５１ａ  開口
３３ｂ，５１ｂ，７１ｂ  係合凸部
３４  ねじりバネ
４１，６１  ロックレバー
４１ａ，６１ａ  閉鎖部
４１ｂ，６１ｂ  ロック部
４１ｃ，６１ｃ  傾斜面
【図１】
2011076775.tif 000003
【図２】
2011076775.tif 000004
【図３】
2011076775.tif 000005
【図４】
2011076775.tif 000006
【図５】
2011076775.tif 000007
【図６】
2011076775.tif 000008
【図７】
2011076775.tif 000009
【図８】
2011076775.tif 000010
【図９】
2011076775.tif 000011
【図１０】
2011076775.tif 000012
【図１１】
2011076775.tif 000013
【図１２】
2011076775.tif 000014
【図１３】
2011076775.tif 000015
【図１４】
2011076775.tif 000016